(57)【要約】【課題】  往路のみの光学調整で済むために光ピックアップの組み立ての作業性に優れており、かつ、ホログラムレーザに比べて低コストである光ピックアップ用受発光モジュールを提供する。【解決手段】  光ディスクに照射すべくレーザ光を出射するレーザ発光素子（３１０）と、レーザ光が照射された光ディスクからの反射光を受光する受光素子（３６０）と、レーザ発光素子および受光素子以外の光ピックアップ用の光学部品とを、共通の樹脂製ホルダ（３９０）上に備えている。レーザ発光素子は、金属フレーム（３７０）上に接合され、金属フレームを介して樹脂製ホルダ上に備えられている。【選択図】      図３
2006065972.tif 000002
【特許請求の範囲】
【請求項１】
光ディスクに照射すべくレーザ光を出射するレーザ発光素子と、レーザ光が照射された光ディスクからの反射光を受光する受光素子と、前記レーザ発光素子および前記受光素子以外の光ピックアップ用の光学部品とを、共通の樹脂製ホルダ上に備えており、
前記レーザ発光素子は、金属フレーム上に接合され、該金属フレームを介して前記樹脂製ホルダ上に備えられていることを特徴とする光ピックアップ用受発光モジュール。
【請求項２】
前記レーザ発光素子は、金属フレーム上に接合され、該金属フレームは、樹脂製フレームに搭載され、前記レーザ発光素子は、前記金属フレームおよび前記樹脂製フレームを介して前記樹脂製ホルダ上に備えられており、
前記金属フレームおよび／または前記樹脂製フレームは、予め規格化されたサイズおよび形状を呈する請求項１に記載の受発光モジュール。
【請求項３】
前記樹脂製ホルダは、前記金属フレームおよび／または前記樹脂製フレームを受容するスリット部または凹部を備えている請求項２に記載の受発光モジュール。
【請求項４】
前記金属フレームは、前記樹脂製ホルダに装着された際に該樹脂製ホルダ外に露出する放熱フィン部を備えている請求項１乃至３のいずれか１つに記載の受発光モジュール。
【請求項５】
前記樹脂製ホルダには、前記樹脂製ホルダに装着された前記金属フレームに熱伝導的に接続する放熱フィンを備えており、
前記放熱フィンは、該樹脂製ホルダ外に露出している請求項１乃至４のいずれか１つに記載の受発光モジュール。
【請求項６】
前記受光素子は、前記樹脂製ホルダのうちの前記レーザ発光素子が存在しない側面領域に配置されている請求項１乃至５のいずれか１つに記載の受発光モジュール。
【請求項７】
前記レーザ発光素子は、２波長タイプである請求項１乃至６のいずれか１つに記載の受発光モジュール。
【請求項８】
請求項１乃至７のいずれか１つに記載の前記受発光モジュールを有する光ピックアップ。
【発明の詳細な説明】
【技術分野】
【０００１】
本発明は、光ディスクドライブに用いられる光ピックアップに関し、特に、レーザ光を出射する発光モジュールと光ディスクで反射した光を受光する受光モジュールとの改良に関する。
【背景技術】
【０００２】
光ディスクドライブは、光ディスク（ＣＤ、ＣＤ−ＲＯＭ、ＣＤ−Ｒ／ＲＷ、ＤＶＤ−ＲＯＭ、ＤＶＤ±Ｒ／ＲＷ、Ｂｌｕ−ｌａｙ、ＨＤ  ＤＶＤ等）に記録された情報を読み出したり、あるいは情報を書き込んだりするための装置である。この種の光ディスクドライブは、光ディスクからの情報の読み出し、あるいは光ディスクへの情報の書き込みを実現するため、光ディスクに対してレーザ光を照射し、またその反射光を検出するための光ピックアップを備えている。
【０００３】
一方、周知のように、ＤＶＤ装置においては、ＤＶＤとＣＤとのいずれに対しても記録・再生可能にするために特別の光ピックアップを備えた光ディスクドライブを搭載したものが存在している。そのような特別の光ピックアップは、ＤＶＤ用の短波長レーザ光（波長約６５０ｎｍ）とＣＤ用の長波長レーザ光（波長約７８０ｎｍ）との２種類のレーザ光を使い分けて記録・再生を行うものであり、「２波長対応光ピックアップ」と呼ばれている。
【０００４】
この種の２波長対応光ピックアップの一種として、ＤＶＤ用に短波長レーザ光（第１のレーザ光）を出射するためのＤＶＤ用の第１のレーザダイオードと、ＣＤ用の長波長レーザ光（第２のレーザ光）を出射するためのＣＤ用の第２のレーザダイオードとを備えたものがある（例えば、特許文献１参照）。
【０００５】
しかし、第１のレーザダイオードと第２のレーザダイオードとを別々の部品として構成すると、部品点数が多く大型化してしまうという不都合がある。このような問題に対処するために、第１のレーザダイオードと第２のレーザダイオードとを１部品（１チップ）で構成したもの（以下、「１チップ型レーザダイオード」と呼ぶ。）が開発され提案されている（例えば、特許文献２参照）。このような１チップ型レーザダイオードは、小型化が可能である。
【０００６】
しかし、この１チップ型レーザダイオードは、第１のレーザ光を出射する第１の発光点と第２のレーザ光を出射する第２の発光点とは所定距離（例えば、１００μｍ）だけ離れているので、第１のレーザ光と第２のレーザ光とは互いに所定距離だけ離間して平行に出射されることになる。したがって、このような離間した２つのレーザ光の１つを光ディスクに照射した場合には、種々の問題が起こる。そのため、何らかの光軸一致手段を使用することによって、第１のレーザ光と第２のレーザ光とを同一の光軸上に導くことが好ましい。
【０００７】
このような問題点を解決した２波長レーザモジュールが提案されている（例えば、特許文献３参照）。この提案された２波長レーザモジュールは、第１の波長を持つ第１のレーザ光を出射する第１のレーザ光源と、第１の波長と異なる第２の波長を持つ第２のレーザ光を出射する第２のレーザ光源と、第１のレーザ光または第２のレーザ光を受け、同一の光軸上へレーザ光を出射する光軸一致手段とを備え、第１のレーザ光源と第２のレーザ光源と光軸一致手段とを１つのパッケージ内に収容している。
【０００８】
また、上記１チップ型レーザダイオードでは、離間した２つのレーザ光を光ディスクに照射した場合、そこで反射した戻り光（ディスク反射光）もまた、互いに光軸がずれた状態で反射する（戻ってくる）ことになる。したがって、このままの状態では、光検出器において、１つの受光位置でそれらディスク反射光を受光することができない。この問題を解決した光ピックアップも提案されている（例えば、特許文献４参照）。この提案された光ピックアップは、互いに異なる第１および第２の波長を持つ第１および第２のレーザ光を、それぞれ互いに所定距離だけ離れた第１および第２の発光点から平行に出射する２波長１パッケージレーザダイオードと、第１および第２のレーザ光を光ディスク側へ導くとともに、光ディスク側から入射する光軸のずれた第１および第２の戻り光を透過する光学系と、この光学系を透過した第１および第２の戻り光を、それらの光軸が光検出器の１つの受光位置で一致するように、光検出器へ導く光軸合わせ素子とを備えている。
【０００９】
いずれにしても、この種の光ディスクドライブは、高さサイズの小さい所謂薄型（スリム型、またはウルトラスリム型）にされる傾向にあり、そのために光ピックアップも薄型化ならびに小型化することが要求されている。
【００１０】
一般に、光ピックアップは、レーザビームを出射するレーザ素子と、この出射されたレーザビームを光ディスクへ導くと共に、その反射光を受光素子へ導く複数の光学素子等の光学部品を光学ベースに配置している。
【００１１】
しかし、上述した薄体化および小型化された光ピックアップの光学ベースに対して、レーザー素子、受光素子、およびその他の光学部品、即ち、多数の光学部品を配置し、組み立てる作業等が困難になってきており、レーザー素子、受光素子、および光学部品の集約化または一体化を図り、部品点数を減らすことが要求されている。
【００１２】
この要求を満たすものとして、レーザー素子、受光素子、および光学素子を一体化して成るホログラムユニットが提案され、実用化されている（例えば、特許文献６）。このホログラムユニットは、同一実装基板上に発光素子のレーザー素子ならびに受光素子を配置し、その上にレーザービームの光路を形成するホログラムレンズ等の光学素子を配置してユニット化した構成である。
【００１３】
また、ＣＤおよびＤＶＤの波長の異なる２種類のディスクに対応するホログラムユニットも提案されている（例えば、特許文献７）。
【００１４】
【特許文献１】特開２００３−２７２２２０号公報
【特許文献２】特開平１１−１４９６５２号公報
【特許文献３】特開２００１−２８４７４０号公報
【特許文献４】特開２００２−２８８８７０号公報
【特許文献５】特開２００１−９３１７７号公報
【特許文献６】特開平５−２７４７１３号公報
【特許文献７】特開２０００−３４８３６７号公報
【発明の開示】
【発明が解決しようとする課題】
【００１５】
しかし、ホログラムユニットは、高価なホログラムレンズやプリズム等を使用しているため、光ピックアップ自体のコストが高くなってしまう。
【００１６】
ホログラムユニットはまた、１つの実装基板の同一面に発光素子および受光素子を配置しているため、実装基板の裏面から複数本の外部接続用端子（端子ピン）をＤＶＤ装置等の装置本体の制御回路等と光ピックアップとを接続するフレキシブルプリント基板（ＦＰＣ）の端子間ピッチに合わせて配置しなければならず、該外部接続用端子の配置を光ピックアップの薄体化を考慮した配置にすると、光ピックアップが横方向に大きくなり、光ピックアップの小型化に悪影響を与えてしまう。このことは、１波長対応のみのホログラムユニットに比べて外部接続用端子の数が数倍多い２波長対応型のホログラムユニットでは顕著である。
【００１７】
そこで、本発明の課題は、ホログラムユニットに比べて低コストであり、光ピックアップの薄体化および小型化を可能にする光ピックアップ用受発光モジュールを提供することである。
【００１８】
本発明の他の課題は、薄型であっても光ピックアップの組み立てが容易である光ピックアップ用受発光モジュールを提供することである。
【００１９】
本発明のさらに他の課題は、このような受発光モジュールを有する光ピックアップを提供することである。
【課題を解決するための手段】
【００２０】
本発明によれば、光ディスクに照射すべくレーザ光を出射するレーザ発光素子（３１０）と、レーザ光が照射された光ディスクからの反射光を受光する受光素子（３６０）と、前記レーザ発光素子および前記受光素子以外の光ピックアップ用の光学部品とを、共通の樹脂製ホルダ（３９０）上に備えており、前記レーザ発光素子は、金属フレーム（３７０）上に接合され、該金属フレームを介して前記樹脂製ホルダ上に備えられていることを特徴とする光ピックアップ用受発光モジュール（３００）が得られる。
【００２１】
本発明によればまた、前記レーザ発光素子（３１０）は、金属フレーム（３７０）上に接合され、該金属フレームは、樹脂製フレーム（３８０）に搭載され、前記レーザ発光素子は、前記金属フレームおよび前記樹脂製フレームを介して前記樹脂製ホルダ上に備えられており、前記金属フレーム（３７０）および／または前記樹脂製フレーム（３８０）は、予め規格化されたサイズおよび形状を呈する前記受発光モジュールが得られる。
【００２２】
本発明によればさらに、前記樹脂製ホルダ（３９０）は、前記金属フレームおよび／または前記樹脂製フレームを受容するスリット部（３９０ａ）または凹部（３９０ｂ）を備えている前記受発光モジュールが得られる。
【００２３】
また、本発明によれば、前記金属フレーム（３７０’）は、前記樹脂製ホルダ（３９５）に装着された際に該樹脂製ホルダ外に露出する放熱フィン部（３７０ａ）を備えている前記受発光モジュールが得られる。
【００２４】
さらに、本発明によれば、前記樹脂製ホルダには、前記樹脂製ホルダ（３９５’）に装着された前記金属フレーム（３７０’）に熱伝導的に接続する放熱フィン（３７５）を備えており、前記放熱フィンは、該樹脂製ホルダ外に露出している前記受発光モジュールが得られる。
【００２５】
本発明によればまた、前記受光素子（３６０）は、前記樹脂製ホルダ（３９０）のうちの前記レーザ発光素子（３１０）が存在しない側面領域に配置されている前記受発光モジュールが得られる。
【００２６】
本発明によればさらに、前記レーザ発光素子（３１０）は、２波長タイプである前記受発光モジュールが得られる。
【００２７】
本発明によればまた、前記受発光モジュール（３００）を有する光ピックアップ（２００）が得られる。
【００２８】
尚、上記括弧内の参照符号は、単に本発明の理解を容易にするために付したものであって、何ら本発明を限定するものではない。
【発明の効果】
【００２９】
本発明による光ピックアップ用受発光モジュールは、ホログラムユニットに比べて低コストで薄体化および小型化を可能にすると共に、往路のみの光学調整で済むために光ピックアップの組み立ての作業性に優れている。
【００３０】
本発明による光ピックアップ用受発光モジュールはまた、薄型かつ小型であっても、光ピックアップの組み立てが容易である。
【発明を実施するための最良の形態】
【００３１】
以下、図面を参照して本発明の実施の形態について詳細に説明する。
【実施例１】
【００３２】
図１および図２は、対物レンズ駆動装置１００を含む光ピックアップ２００を示す図である。図１は、表面側から見た光ピックアップ２００の斜視図である。図２は、裏面側から見た光ピックアップ２００の斜視図である。本光ピックアップ２００は、２波長対応型である。
【００３３】
光ピックアップ２００は、光学ベース２１０を有し、この光学ベース２１０上に対物レンズ駆動装置１００が搭載されている。光学ベース２１０は、光ディスクドライブに導入された光ディスクの半径方向（トラッキング方向Ｔｒ）に沿って移動可能にガイドバー（図示せず）に取り付けられている。また、光学ベース２１０には、後述するように、レーザダイオード、光検出器、および所定の光学系が取り付けられており、レーザダイオードからのレーザ光が対物レンズ２を通して光ディスクに照射され、その反射光が光検出器に導かれるように構成されている。
【００３４】
図示の光ピックアップ２００は、光学ベース２１０上に搭載された受発光一体型モジュール３００を備えている。
【００３５】
受発光一体型モジュール３００は、レーザ発光素子３１０と、光軸補正素子３２０と、偏光ビームスプリッタ３３０と、フロントモニタ３４０と、センサレンズ３５０と、光検出器３６０とを備えている。レーザ発光素子３１０は、金属フレーム３７０上に搭載されている。レーザ発光素子３１０は、第１のレーザダイオードと第２のレーザダイオードとを１部品（１チップ）で構成した１チップ型レーザダイオードである。光軸補正素子３２０は、第１のレーザダイオードから出射される第１のレーザ光の光軸と、第２のレーザダイオードから出射される第２のレーザ光の光軸とを一致させるためのものである。
【００３６】
尚、第１のレーザダイオードは、第１の波長としてＤＶＤ用の波長約６５０ｎｍを持つ第１のレーザ光を出射するレーザダイオードである。第２のレーザダイオードは、第２の波長としてＣＤ用の波長約７８０ｎｍを持つ第２のレーザ光を出射するレーザダイオードである。
【００３７】
受発光一体型モジュール３００と対物レンズ駆動装置１００との間には、コリメータレンズ２２０が光学ベース２１０に取り付けられている。また、対物レンズ２の下方には全反射型ミラー（立上げミラー）２３０が設けられている。
【００３８】
対物レンズ２を保持するホルダには、チルティングコイル、フォーカシングコイルおよびトラッキングコイルが巻回されており、これらのコイルに流す電流を適切に制御することにより、対物レンズ２は、ヨークおよびマグネットが作り出す磁界との関係に基づき、トラッキング方向（Ｔｒ）に傾動し（タンジェンシャル方向Ｔｇに平行な軸を回転軸として回動し）、またトラッキング方向（Ｔｒ）に沿って移動し、あるいはフォーカシング方向（Ｆ）に沿って移動する。
【００３９】
次に、図１および図２に図示した２波長対応光ピックアップ２００の動作について説明する。最初に、光ディスクとしてＤＶＤを使用した場合の動作について説明し、その後で、光ディスクとしてＣＤを使用した場合の動作について説明する。
【００４０】
光ディスクがＤＶＤである場合、第１のレーザダイオードのみが動作状態に置かれ、第２のレーザダイオードは非動作状態に置かれる。したがって、第１のレーザダイオードのみが第１のレーザ光を出射している。
【００４１】
ＤＶＤ用の第１のレーザダイオードから出射された第１のレーザ光は、光軸補正素子３２０を通り、ここで第１のレーザ光の光軸が補正される。この光軸補正された第１のレーザ光は、偏光ビームスプリッタ３３０に入射し、その殆どは偏光ビームスプリッタ３３０を透過するが、一部が反射される。この偏光ビームスプリッタ３３０で反射されたレーザ光は、フロントモニタ３４０でモニタされる。偏光ビームスプリッタ３３０を透過したレーザ光は、コリメータレンズ２２０で平行光にされ、全反射ミラー２３０を経て対物レンズ２に入射する。この対物レンズ２を透過したレーザ光は、ここで収束されて、光ディスクであるＤＶＤの記録面に照射される（集光される）。
【００４２】
尚、この技術分野で周知のように、２波長対応光ピックアップは、書込みモードと再生モードとのいずれか一方で動作する。書込みモードの場合には、以上の説明で動作が終了する。それに対して、再生モードの場合には、さらに、次の動作が行われる。
【００４３】
この光ディスク（ＤＶＤ）の記録面からの反射光（第１の戻り光）は、対物レンズ２を通過し、全反射ミラー２３０で反射され、コリメータレンズ２２０を透過した後、収束光になる。この収束光は、偏光ビームスプリッタ３３０で反射され、センサレンズ３５０を透過した後、光検出器３６０に集光する（で受光される）。
【００４４】
次に、光ディスクがＣＤである場合、第２のレーザダイオードのみが動作状態に置かれ、第１のレーザダイオードは非動作状態に置かれる。したがって、第２のレーザダイオードのみが第２のレーザ光を出射している。
【００４５】
ＣＤ用の第２のレーザダイオードから出射された第２のレーザ光は、光軸補正素子３２０を通り、ここで第２のレーザ光の光軸が補正される。以後の動作は、上述した光ディスクがＤＶＤである場合と同様である。すなわち、この光軸補正された第２のレーザ光は、偏光ビームスプリッタ３３０に入射し、その殆どは偏光ビームスプリッタ３３０を透過するが一部が反射される。この偏光ビームスプリッタ３３０で反射されたレーザ光はフロントモニタ３４０でモニタされる。偏光ビームスプリッタ３３０を透過したレーザ光は、コリメータレンズ２２０で平行光にされ、全反射ミラー２３０を経て対物レンズ２に入射する。この対物レンズ２を透過したレーザ光は、ここで収束されて、光ディスクであるＣＤの記録面に照射される（集光される）。
【００４６】
この光ディスク（ＣＤ）の記録面からの反射光（第２の戻り光）は、対物レンズ２を通過し、全反射ミラー２３０で反射され、コリメータレンズ２２０を透過した後、収束光になる。この収束光は、偏光ビームスプリッタ３３０で反射され、センサレンズ３５０を透過した後、光検出器３６０に集光する（で受光される）。
【００４７】
図３〜図５を参照して、本発明の実施例１による受発光一体型モジュール３００は、光ディスクに照射すべくレーザ光を出射する２波長タイプのレーザ発光素子３１０と、レーザ光が照射された光ディスクからの反射光を受光する受光素子としてのフォトダイオードＩＣパッケージの光検出器３６０と、レーザ発光素子および受光素子以外の光ピックアップ用の光学部品である光軸補正素子３２０、偏光ビームスプリッタ３３０、フロントモニタ３４０、およびセンサレンズ３５０とを、これらに共通な単一の樹脂製ホルダ３９０上に備えている。
【００４８】
尚、受光素子としての光検出器３６０は、樹脂製ホルダ３９０のうちのレーザ発光素子３１０が存在しない側面を含む領域に配置されている。即ち、光検出器３６０は、樹脂製ホルダ３９０の厚さ方向にて、レーザ発光素子３１０と重畳することなく、レーザ発光素子３１０と共に共通の樹脂製ホルダ３９０に配置されている。レーザ発光素子３１０の外部接続用端子が突出している面とは別の樹脂製ホルダ３９０の面に光検出器３６０が配置されるため、光検出器３６０の外部接続用端子とレーザ発光素子３１０の外部接続用端子とが樹脂製ホルダ３９０の厚さ方向にて重なることがなく、よって、樹脂製ホルダ３９０の薄型化、ひいては、受発光モジュールや、光ピックアップの薄体化が可能である。
【００４９】
レーザ発光素子３１０は、金属フレーム３７０上に接合され、金属フレーム３７０は、樹脂製フレーム３８０に搭載されている。よって、レーザ発光素子３１０は、金属フレーム３７０および樹脂製フレーム３８０を介して樹脂製ホルダ３９０上に備えられることになる。ここで、金属フレーム３７０および／または樹脂製フレーム３８０は、予め規格化されたサイズおよび形状を呈している。即ち、レーザ発光素子３１０、金属フレーム３７０、および樹脂製フレーム３８０は、レーザ発光素子を金属フレームにボンディングして樹脂モールドを施して成る、レーザ発光素子を金属フレームにボンディングして金属のキャップを装着した所謂カンパッケージよりも薄体のフレームレーザの一種（既製品）を構成している。
【００５０】
一方、樹脂製ホルダ３９０も、規格化された金属フレーム３７０および／または樹脂製フレーム３８０に対応した受容サイズおよび形状を呈している。樹脂製ホルダ３９０は、金属フレーム３７０を受容するスリット部３９０ａを備えている。フレームレーザは、樹脂製ホルダ３９０に対して、図５中矢印で示す方向に圧入され、定位置に固定される。尚、フレームレーザは、樹脂製ホルダ３９０に挿入後、接着剤等によって固定されてもよい。
【００５１】
次に、本発明の実施例１による受発光一体型モジュール３００の光学ベース２１０への組み付け手順を説明する。受発光一体型モジュール３００の光学ベース２１０への組み付けは、図１および図２に示す対物レンズ駆動装置１００を光学ベース２１０に組み付ける前に、行われる。
【００５２】
光学ベース２１０には予めコリメータレンズ２２０および立上げミラー２３０が取り付けられ、受発光一体型モジュール３００を光学ベース２１０の搭載部２１０ａに配置した状態で往路調整を行い、光学ベース２１０に接着固定される。
【００５３】
上記往路調整は、レーザ発光素子３１０を発光させコリメータレンズ２２０にレーザ光を照射し、コリメータレンズ２２０からの出射光を立上げミラー２３０を介して調整用受光モニタで検知し、その出射光が平行光になるようにコリメータレンズ２２０と受発光一体モジュール３００との間の距離を規定し、該レーザ光（出射光）の光強度が光軸と一致するように位置決めを行う調整である。
【実施例２】
【００５４】
図６を参照して、本発明の実施例２による受発光一体型モジュールは、実施例１による受発光一体型モジュール３００と同様に、光ディスクに照射すべくレーザ光を出射する２波長タイプのレーザ発光素子３１０と、レーザ光が照射された光ディスクからの反射光を受光する受光素子としての光検出器３６０と、レーザ発光素子および受光素子以外の光ピックアップ用の光学部品である光軸補正素子３２０、偏光ビームスプリッタ３３０、フロントモニタ３４０、およびセンサレンズ３５０とを、これらに共通な単一の樹脂製ホルダ３９０’上に備えている。
【００５５】
レーザ発光素子３１０は、金属フレーム３７０上に接合され、金属フレーム３７０は、樹脂製フレーム３８０に搭載されている。よって、レーザ発光素子３１０は、金属フレーム３７０および樹脂製フレーム３８０を介して樹脂製ホルダ３９０’上に備えられることになる。金属フレーム３７０および／または樹脂製フレーム３８０は、予め規格化されたサイズおよび形状を呈している。即ち、レーザ発光素子３１０、金属フレーム３７０、および樹脂製フレーム３８０は、実施例１におけるフレームレーザと同一の既製品である。
【００５６】
一方、樹脂製ホルダ３９０’も、規格化された金属フレーム３７０および／または樹脂製フレーム３８０に対応した受容サイズおよび形状を呈している。樹脂製ホルダ３９０’は、金属フレーム３７０を受容する凹部３９０ｂを備えている。フレームレーザは、樹脂製ホルダ３９０’に対して、図５中矢印で示す方向に圧入され、定位置に固定される。尚、フレームレーザは、樹脂製ホルダ３９０’に挿入後、接着剤等によって固定されてもよい。
【実施例３】
【００５７】
図７を参照して、本発明の実施例３による受発光一体型モジュールは、本発明の実施例１、２による受発光一体型モジュールと同様に、光ディスクに照射すべくレーザ光を出射する２波長タイプのレーザ発光素子３１０と、レーザ光が照射された光ディスクからの反射光を受光する受光素子としての光検出器３６０と、レーザ発光素子および受光素子以外の光ピックアップ用の光学部品である光軸補正素子３２０、偏光ビームスプリッタ３３０、フロントモニタ３４０、およびセンサレンズ３５０とを、これらに共通な単一の樹脂製ホルダ３９５上に備えている。
【００５８】
レーザ発光素子３１０は、金属フレーム３７０’上に接合され、この金属フレーム３７０’を介して樹脂製ホルダ３９５上に備えられている。ただし、実施例３では、実施例１、２とは異なり、既製品であるフレームレーザは使用せず、レーザ発光素子３１０を直に金属フレームに実装する構成である。レーザ発光素子３１０を搭載した金属フレーム３７０’は、樹脂製ホルダ３９５に対して、圧入されるか、挿入後に接着されるか、あるいはインサート成形されるなどして、定位置に固定される。
【００５９】
金属フレーム３７０’は、樹脂製ホルダ３９５に装着された際に樹脂製ホルダ３９５外に露出する放熱フィン部３７０ａを備えている。これにより、レーザ出射中に高温になるレーザ発光素子３１０は、放熱フィン部３７０ａを通して放熱することで、冷却される。
【実施例４】
【００６０】
図８を参照して、本発明の実施例４による受発光一体型モジュールは、本発明の実施例３による受発光一体型モジュールと同様に、光ディスクに照射すべくレーザ光を出射する２波長タイプのレーザ発光素子３１０と、レーザ光が照射された光ディスクからの反射光を受光する受光素子としての光検出器３６０と、レーザ発光素子および受光素子以外の光ピックアップ用の光学部品である光軸補正素子３２０、偏光ビームスプリッタ３３０、フロントモニタ３４０、およびセンサレンズ３５０とを、これらに共通な単一の樹脂製ホルダ３９５’上に備えている。
【００６１】
レーザ発光素子３１０は、金属フレーム３７０’上に接合され、この金属フレーム３７０’を介して樹脂製ホルダ３９５上に備えられている。実施例４においても、実施例３と同様に、既製品であるフレームレーザは使用せず、レーザ発光素子３１０を直に金属フレームに実装する構成である。レーザ発光素子３１０を搭載した金属フレーム３７０’は、樹脂製ホルダ３９５’に対して、圧入されるか、挿入後に接着されるか、あるいはインサート成形されるなどして、定位置に固定される。
【００６２】
実施例３と同様に、金属フレーム３７０’は、樹脂製ホルダ３９５に装着された際に樹脂製ホルダ３９５外に露出する放熱フィン部３７０ａを備えている。さらに、樹脂製ホルダ３９５’には、樹脂製ホルダ３９０に装着された金属フレーム３７０’に熱伝導的に接続する放熱フィン３７５を備えている。放熱フィン３７５は、樹脂製ホルダ３９５’外に露出している。これにより、レーザ出射中に高温になるレーザ発光素子３１０は、放熱フィン部３７０ａならびに放熱フィン３７５を通して放熱することで、冷却される。
【００６３】
以上、本発明ついて一実施の形態に即して説明してきたが、本発明は上記実施の形態に限定されるものではない。
【図面の簡単な説明】
【００６４】
【図１】本発明の実施例１による光ピックアップを表面側から見た斜視図である。
【図２】図１に示す光ピックアップを裏面側から見た斜視図である。
【図３】図１および図２に示す光ピックアップの要部を示す表面側から見た斜視図である。
【図４】図１および図２に示す光ピックアップの要部を示す裏面側から見た斜視図である。
【図５】図１および図２に示す光ピックアップの要部を説明するための斜視図である。
【図６】本発明の実施例２による光ピックアップの要部を説明するための斜視図である。
【図７】本発明の実施例３による光ピックアップの要部を示す斜視図である。
【図８】本発明の実施例４による光ピックアップの要部を示す斜視図である。
【符号の説明】
【００６５】
２    対物レンズ
１００    対物レンズ駆動装置
２００    光ピックアップ
２１０    光学ベース
２２０    コリメータレンズ
２３０    全反射ミラー（立上げミラー）
３００    受発光一体型モジュール
３１０    レーザ発光素子
３２０    光軸補正素子
３３０    偏光ビームスプリッタ
３４０    フロントモニタ
３５０    センサレンズ
３６０    光検出器
３７０、３７０’  金属フレーム
３７０ａ  放熱フィン部
３７５    放熱フィン
３８０    樹脂製フレーム
３９０、３９０’、３９５、３９５’  樹脂製ホルダ
３９０ａ  スリット部
３９０ｂ  凹部
【図１】
2006065972.tif 000003
【図２】
2006065972.tif 000004
【図３】
2006065972.tif 000005
【図４】
2006065972.tif 000006
【図５】
2006065972.tif 000007
【図６】
2006065972.tif 000008
【図７】
2006065972.tif 000009
【図８】
2006065972.tif 000010